(57)【要約】【課題】複数の住戸によって共用蓄電池に充電した電力を適切に分配することを目的とする。【解決手段】各住宅から共用蓄電池への蓄電量を表す充電情報を記憶して（２００、２０２）、各住戸で電力不足となったときに、充電情報を読み出して、蓄電量に応じて共用蓄電池の電力を分配する（２０４〜２０８）。また、停電の場合には、蓄電量の半分を未蓄電住戸へ供給（売電）し、残りの半分を蓄電住戸へ分配する（２１０〜２１６）。さらに、災害の場合には、蓄電量の全てを各住戸へ供給（売電）する（２１８、２２０）。【選択図】図５
2014027779.tif 000002
【特許請求の範囲】
【請求項１】
複数の住戸を含む予め定めたエリアに設けられ、前記エリア内の各住戸の余剰電力及び前記エリアに対して供給される系統電力の少なくとも一方の電力を蓄電する共用蓄電池と、
前記系統電力の前記エリアに対する供給状態を検出する検出手段と、
前記検出手段の検出結果に基づいて、前記共用蓄電池に蓄電された電力の各住戸への分配量を決定して各住戸へ分配する分配手段と、
を備えた蓄電池制御装置。
【請求項２】
前記検出手段は、系統電力が供給されている通常状態、系統電力の供給が一時的に停止している停電状態、及び系統電力の供給が継続的に停止している災害状態を前記供給状態として検出する請求項１に記載の蓄電池制御装置。
【請求項３】
前記エリア内の各住戸が前記共用蓄電池へ蓄電した蓄電量を検出する蓄電量検出手段を更に備え、
前記分配手段が、前記供給状態に加えて前記蓄電量検出手段の検出結果に基づいて、前記分配量を決定して電力を各住戸へ分配する請求項１又は請求項２に記載の蓄電池制御装置。
【請求項４】
前記エリア内の各住戸が前記共用蓄電池へ蓄電した蓄電量を検出する蓄電量検出手段を更に備え、
前記分配手段が、前記検出手段によって前記供給状態として系統電力の供給が一時的に停止している停電状態が検出された場合に、前記共用蓄電池の蓄電量の予め定めた割合を、前記蓄電量検出手段によって検出された蓄電量が所定値以下の住戸に分配し、前記共用蓄電池の蓄電量の残りの割合を、前記蓄電量検出手段によって検出された蓄電量が所定値より大きい住戸に分配する請求項１〜３の何れか１項に記載の蓄電池制御装置。
【請求項５】
前記分配手段が、前記検出手段によって前記供給として系統電力の供給が継続的に停止している災害状態が検出された場合に、前記共用蓄電池に蓄電された全電力を前記エリア内の全ての住戸に対して分配する請求項１〜４の何れか１項に記載の蓄電池制御装置。
【請求項６】
前記エリア内の各住戸が前記共用蓄電池へ蓄電した蓄電量を検出する蓄電量検出手段を更に備え、
前記分配手段が、前記検出手段によって前記供給状態として系統電力が供給されている通常状態が検出された場合に、余剰電力が発生している住戸から前記共用蓄電池へ電力を供給し、電力が不足する住戸に対応する前記蓄電量検出手段の検出結果に応じて、電力が不足する住戸へ電力を分配する請求項１〜５の何れか１項に記載の蓄電池制御装置。
【請求項７】
請求項１〜６の何れか１項に記載の蓄電池制御装置と、
前記エリア内の各住戸に設けられ、余剰電力の有無を検出して余剰電力がある場合に前記共用蓄電池へ余剰電力の供給し、電力が不足する場合に前記共用蓄電池から電力を需給するように各住戸の電力を制御する制御装置と、
を備えた蓄電池シェアシステム。
【発明の詳細な説明】
【技術分野】
【０００１】
本発明は、蓄電池制御装置及び蓄電池シェアシステムにかかり、特に、予め定めたエリアに各住戸で共有する共用蓄電池を備えて、蓄電された電力を分配して使用する蓄電池制御装置及び蓄電池シェアシステムに関する。
【背景技術】
【０００２】
特許文献１に記載の技術では、集合住宅の各住宅に発電装置や蓄電装置を設けて、余剰電力を他の住宅へ融通すると共に、集合住宅に共用蓄電池を設けて、各住宅で余剰電力が発生したときに、共有蓄電池に充電する電力融通システムが提案されている。
【先行技術文献】
【特許文献】
【０００３】
【特許文献１】特開２０１１−２０５８７１号公報
【発明の概要】
【発明が解決しようとする課題】
【０００４】
しかしながら、特許文献１に記載の技術では、余剰電力が発生したときに共有蓄電池に充電することが記載されているものの、充電した電力をどのように分配するかまでは考慮していないので、蓄電した電力を不公平感なく適切に分配する分配するためには、改善の余地がある。
【０００５】
本発明は、上記事実を考慮して成されたもので、複数の住戸によって共用蓄電池に充電した電力を適切に分配することを目的とする。
【課題を解決するための手段】
【０００６】
上記目的を達成するために請求項１に記載の発明は、複数の住戸を含む予め定めたエリアに設けられ、前記エリア内の各住戸の余剰電力及び前記エリアに対して供給される系統電力の少なくとも一方の電力を蓄電する共用蓄電池と、前記系統電力の前記エリアに対する供給状態を検出する検出手段と、前記検出手段の検出結果に基づいて、前記共用蓄電池に蓄電された電力の各住戸への分配量を決定して各住戸へ分配する分配手段と、を備えることを特徴としている。
【０００７】
請求項１に記載の発明によれば、共用蓄電池は、複数の住戸を含む予め定められたエリアに設けられて、エリア内の各住戸の余剰電力及びエリアに対して供給される系統電力の少なくとも一方の電力が蓄電される。
【０００８】
検出手段では、系統電力のエリアに対する供給状態が検出される。例えば、請求項２に記載の発明のように、検出手段は、系統電力が供給されている通常状態、系統電力の供給が一時的に停止している停電状態、及び系統電力の供給が継続的に停止している災害状態を供給状態として検出する。
【０００９】
そして、分配手段では、検出手段の検出結果に基づいて、共用蓄電池に蓄電された電力の各住戸への分配量が決定されて各住戸へ分配される。すなわち、系統電力の供給状態に基づいて、共用蓄電池に蓄電された電力の各住戸への分配量が決定されて分配されるので、電力の供給状態に従って適切に電力を分配することができる。
【００１０】
なお、請求項３に記載の発明のように、エリア内の各住戸が共用蓄電池へ蓄電した蓄電量を検出する蓄電量検出手段を更に備えて、分配手段が、系統電力の供給状態に加えて蓄電量検出手段の検出結果に基づいて、分配量を決定して電力を各住戸へ分配するようにしてもよい。例えば、共用蓄電池への蓄電量に応じた電力を各住戸に分配することにより、共用蓄電池の充電に貢献した分の電力を分配することが可能となるので、不公平感なく電力の分配が可能となる。
【００１１】
また、請求項４に記載の発明のように、エリア内の各住戸が共用蓄電池へ蓄電した蓄電量を検出する蓄電量検出手段を更に備えて、分配手段が、検出手段によって供給状態として系統電力の供給が一時的に停止している停電状態が検出された場合に、共用蓄電池の蓄電量の予め定めた割合を、蓄電量検出手段によって検出された蓄電量が所定値以下の住戸に分配し、共用蓄電池の蓄電量の残りの割合を、蓄電量検出手段によって検出された蓄電量が所定値より大きい住戸に分配するようにしてもよい。これによって、共用蓄電池への蓄電量が所定値以下の住戸へ電力を分配する際には、料金を課して売電することが可能となり、不公平感なく共用蓄電池の電力を分配することが可能となる。
【００１２】
また、請求項５に記載の発明のように、分配手段が、検出手段によって供給として系統電力の供給が継続的に停止している災害状態が検出された場合に、共用蓄電池に蓄電された全電力をエリア内の全ての住戸に対して分配するようにしてもよい。すなわち、災害が発生した場合には、共用蓄電池に蓄電された電力を全て分配することにより、災害に対応することが可能となる。
【００１３】
さらに、請求項７に記載の発明のように、エリア内の各住戸が共用蓄電池へ蓄電した蓄電量を検出する蓄電量検出手段を更に備えて、分配手段が、検出手段によって供給状態として系統電力が供給されている通常状態が検出された場合に、余剰電力が発生している住戸から共用蓄電池へ電力を供給し、電力が不足する住戸に対応する蓄電量検出手段の検出結果に応じて、電力が不足する住戸へ電力を分配するようにしてもよい。
【００１４】
なお、本発明は、請求項７に記載の発明のように、請求項１〜６の何れか１項に記載の蓄電池制御装置と、前記エリア内の各住戸に設けられ、余剰電力の有無を検出して余剰電力がある場合に前記共用蓄電池へ余剰電力の供給し、電力が不足する場合に前記共用蓄電池から電力を需給するように各住戸の電力を制御する制御装置と、を備えた蓄電池シェアシステムとしてもよい。
【発明の効果】
【００１５】
以上説明したように本発明によれば、系統電力の供給状態に基づいて、共用蓄電池に蓄電された電力の各住戸への分配量が決定されて分配されるので、電力の供給状態に従って適切に電力を分配することができる、という効果がある。
【図面の簡単な説明】
【００１６】
【図１】本発明の実施の形態に係わる蓄電池シェアシステムの概略を示す模式図である。
【図２】本発明の実施の形態に係わる蓄電池シェアシステムにおける共用蓄電池制御装置及び各住戸に設けられるＨＥＭＳの概略構成を示すブロック図である。
【図３】本発明の実施の形態に係わる蓄電池シェアシステムにおける共用蓄電池に蓄電された電力を分配する際の複数のモード（分配方法）の一例を示す図である。
【図４】本発明の実施の形態に係わる蓄電池シェアシステムにおけるＨＥＭＳで行われる処理の一例を示すフローチャートである。
【図５】本発明の実施の形態に係わる蓄電池シェアシステムにおける共用蓄電池制御装置で行われる処理の一例を示すフローチャートである。
【発明を実施するための形態】
【００１７】
以下、図面を参照して本発明の実施の形態の一例を詳細に説明する。図１は、本発明の実施の形態に係わる蓄電池シェアシステムの概略を示す模式図である。
【００１８】
本発明の実施の形態に係わる蓄電池シェアシステム１０は、予め定めたエリアに含まれる複数の住戸１２が共用して使用する共用蓄電池１４を備えている。共用蓄電池１４は、各住戸１２の余剰電力及び系統電力２０の少なくとも一方の電力を蓄電する。
【００１９】
各住戸１２は、太陽光発電装置２２等の各種発電装置を備えた住戸を含んでおり、発電した電力のうち余剰電力を共用蓄電池１４へ供給可能とされている。なお、各住戸１２の余剰電力の検出や、電力の供給などの制御は、各住戸１２に設けられたＨＥＭＳ（Home Energy Management System）等によって行われる。
【００２０】
また、各住戸１２は、プラグインハイブリッド自動車や電気自動車等の車両用蓄電池を搭載して走行する車両２４が接続可能な住戸も含み、車両２４に搭載された車両用蓄電池の電力を各住戸で使用したり余剰電力として共用蓄電池１４へ供給可能とされている。
【００２１】
共用蓄電池１４は、電力制御部１８と電力線によって接続され、電力制御部１８は、電力会社の系統電力２０及びエリア内の各住戸１２と電力線によって接続されている。電力制御部１８は、スイッチ機能を備えて電力の流れを制御するようになっている。例えば、各住戸１２の余剰電力を共用蓄電池１４へ供給するように電力の流れを切り換えたり、系統電力２０によって共用蓄電池１４を充電するように電力の流れを切り換えたり、共用蓄電池１４から系統電力２０へ電力を供給するように切り換えて売電したり、或いは、共用蓄電池１４の蓄電された電力を各住戸１２へ供給するように切り換える。
【００２２】
また、電力制御部１８及び共用蓄電池１４は、共用蓄電池制御装置１６と情報の授受が可能に情報線によって接続されている。
【００２３】
共用蓄電池制御装置１６は、共用蓄電池１４の蓄電量を検出し、検出結果に基づいて、電力制御部１８を制御して、共用蓄電池１４への充放電を制御する。
【００２４】
例えば、共用蓄電池制御装置１６は、共用蓄電池１４を充電する場合には、各住戸の余剰電力により充電するように電力制御部１８を制御する。また、各住戸の余剰電力が少ない場合には深夜電力等の系統電力２０からの電力により充電するように電力制御部１８を制御する。また、停電や災害等が発生した場合には、共用蓄電池１４に蓄電された電力を各住戸１２へ分配するように電力制御部１８を制御する。なお、共用蓄電池１４に蓄電された電力の各住戸１２への分配方法の詳細については後述する。
【００２５】
図２は、本発明の実施の形態に係わる蓄電池シェアシステム１９における共用蓄電池制御装置及び各住戸１２に設けられるＨＥＭＳの概略構成を示すブロック図である。なお、共用蓄電池制御装置１６、及び各住戸１２に設けられるＨＥＭＳは、基本的なコンピュータ構成を有するのでまとめて説明する。また、図２中の点線は、共用蓄電池制御装置１６及びＨＥＭＳに接続可能とされるものを示し、全てが接続されていない場合もある部分を示す。
【００２６】
共用蓄電池制御装置１６及びＨＥＭＳ２６は、ＣＰＵ３０、ＲＯＭ３２、ＲＡＭ３４、及び入出力ポート３６がバス３８に接続された一般的なコンピュータの構成とされている。ＣＰＵ３０は、ＲＯＭ３２に予め記憶された各種プログラムをＲＡＭ３４に読み出して展開して実行することにより、共用蓄電池１４への充電や共用蓄電池１４から各住戸１２への電力分配などの電力に関する制御を行う。なお、ＲＯＭ３２には、共用蓄電池制御装置１６及びＨＥＭＳ２６のそれぞれ用のプログラムが記憶されている。
【００２７】
入出力ポート３６には、表示部４０、操作部４２、およびメモリ４４等が接続されていると共に、ネットワーク２４が接続されている。ネットワーク２４には、共用蓄電池制御装置１６やＨＥＭＳ２６が接続されて、それぞれ情報の授受が可能とされている。これによって、共用蓄電池制御装置１６は、各住戸１２のＨＥＭＳ２６と通信を行って各住戸１２の余剰電力を用いて共用蓄電池１４を充電することが可能となる。
【００２８】
また、入出力ポート３６には、電力制御部１８が接続され、ＣＰＵ３０によって電力制御部１８が制御される。
【００２９】
電力制御部１８には、各住戸１２に設けられる分電盤４８、各住戸１２に設けられる蓄電池５２、共用蓄電池１４、車両２４、及び各種発電装置５４等が接続可能とされており、それぞれへの電力の流れを制御する。
【００３０】
分電盤４８には、各住戸で使用される家電・設備や系統電力２０等が接続されて、分電盤４８を介して電力が家電・設備等へ供給される。
【００３１】
各種発電装置５４としては、例えば、太陽光発電装置、燃料電池、風力発電装置、及び水力発電装置等の発電装置や、自動車の発電機を含み、発電した電力が分電盤４８に接続される他の機器や電力制御部１８に接続される蓄電池５２や共用蓄電池１４等へ供給される。
【００３２】
電力制御部１８に接続される車両２４としては、走行に使用する電力を蓄電する車両蓄電池を備えたＰＨＶ（Plug-in Hybrid Vehicle）やＥＶ（Electric Vehicle）等の車両を適用することができる。車両２４に搭載される車両蓄電池、蓄電池５２または共用蓄電池１４は、充電する際には系統電力２０の深夜電力や、外部からの融通電力を供給、或いは各種発電装置５４の発電電力を供給することによって充電することができる。また、停電や災害等の際には、共用蓄電池１４に蓄電した電力を各住戸１２へ分配可能とされている。
【００３３】
各住戸１２の分電盤４８に接続される家電・設備は、系統電力２０や、蓄電池５２、共用蓄電池１４、車両２４の車両蓄電池等から電力が供給される。
【００３４】
また、分電盤４８は、分電盤４８に接続される機器（家電・設備等）の消費電力や、各種蓄電池（蓄電池５２や、共用蓄電池１４、車両２４の車両用蓄電池等）の蓄電量を検出する機能を備えており、検出結果を電力制御部１８を介して共用蓄電池制御装置１６やＨＥＭＳ２６へ出力するようになっている。
【００３５】
ところで、共用蓄電池１４に蓄電された電力は、各住戸１２で共用して使用するために各住戸１２へ分配するが、本実施の形態では、共用蓄電池１４に蓄電された電力の分配する際には、系統電力２０の供給状態毎に予め定めた複数のモードを有して、系統電力２０の供給状態に応じてモードを切り換えて共用蓄電池１４に蓄電された電力を各住戸１２へ分配するようになっている。具体的には、本実施の形態では、系統電力２０の供給状態（例えば、系統電力２０が供給される通常状態や、系統電力２０の供給が一時的に止まっている停電状態、系統電力２０の供給が継続的に止まっている災害状態等）を検出して、検出した系統電力２０の供給状態に基づいて、モード（分配方法）を切り換えるようになっている。また、電力を分配する際には、共用蓄電池１４へ余剰電力の供給量が住戸１２毎に異なるため、均等に配分したのでは不公平となってしまうため、共用蓄電池１４への蓄電量に応じて分配量を決定する。
【００３６】
本実施の形態の共用蓄電池１４に蓄電された電力を分配する複数のモードとしては、図３に示すように、通常モード、停電モード、及び災害モードの３つのモードを有しており、それぞれ予め定めた分配方法に従って共用蓄電池１４に蓄電された電力を分配するようになっている。
【００３７】
具体的には、停電や災害等が発生していない通常の場合には通常モードとされて、各住戸１２の余剰電力により共用蓄電池１４を充電して、各住戸１２で電力不足が発生した場合には、共用蓄電池１４への蓄電量に応じて分配する。すなわち、共用蓄電池１４の充電に貢献した分の電力が各住戸１２へ分配される。
【００３８】
また、停電が発生した場合には停電モードとされて、共用蓄電池１４の蓄電量の５０％は、未蓄電住戸（共用蓄電池１４への蓄電量が所定値以下、或いは全く蓄電していない住戸１２）へ供給して売電し、残りの５０％は蓄電住戸（共用蓄電池１４へ所定値を超える蓄電を行った住戸１２）へ共用蓄電池１４への蓄電量に応じて分配する。このとき、未蓄電住戸への売電費は蓄電住戸へ分配する。売電費の分配方法の具体例としては、例えば、エリア内の自治会費等で精算することにより分配するようにしてもよいし、他の方法を用いるようにしてもよい。なお、停電発生の検出は、共用蓄電池制御装置１６が系統電力２０を監視して、停電の発生を検出するようにしてもよいし、電力会社からの情報をネットワーク２８等を介して取得して停電の発生を検出するようにしてもよい。
【００３９】
また、災害が発生した場合には災害モードとされて、共用蓄電池１４の蓄電量全てが各住戸１２へ供給されて売電される。このとき、売電費は蓄電住戸で買電した費用も含めて蓄電住戸へ分配する。なお、災害発生の検出は、共用蓄電池制御装置１６が、系統電力２０を監視して、予め定めた時間以上の停電を災害として検出するようにしてもよいし、電力会社や他の公共機関等からの災害情報をネットワーク２８を介して取得して災害の発生を検出するようにしてもよい。
【００４０】
続いて、上述のように構成された本発明の実施の形態に係わる蓄電池シェアシステム１０における共用蓄電池制御装置１６及びＨＥＭＳ２６に記憶されたそれぞれのプログラムを実行することにより行われる具体的な処理の一例について説明する。
【００４１】
まず、本発明の実施の形態に係わる蓄電池シェアシステム１０における各住戸１２に設けられたＨＥＭＳ２６で行われる処理の一例について説明する。図４は、本発明の実施の形態に係わる蓄電池シェアシステム１０におけるＨＥＭＳ２６で行われる処理の一例を示すフローチャートである。なお、図４の処理は、例えば、予め定めた時間間隔で行う。
【００４２】
まず、ステップ１００では、消費電力量が検出されてステップ１０２へ移行する。すなわち、各住戸１２の分電盤４８で検出された家電・設備等への電力の供給量の検出結果を電力制御部１８を介してＣＰＵ３０が取得することによって消費電力量の検出を行う。
【００４３】
ステップ１０２では、蓄電池５２があるか否か判定される。該判定は、電力制御部１８に蓄電池５２が接続されているか否かを検出することによって行われる。具体的には、電力制御部１８が蓄電池５２の接続を検出する機能を有して、電力制御部１８が蓄電池５２の接続を検出してその検出結果をＣＰＵ３０が取得することによって判定される。該判定が肯定された場合にはステップ１０４へ移行し、否定された場合にはステップ１０６へ移行する。
【００４４】
ステップ１０４では、蓄電池５２の蓄電量が検出されてステップ１０６へ移行する。蓄電池５２の蓄電量の検出は、電力制御部１８が蓄電量を検出し、検出結果をＣＰＵ３０が取得することによって行われる。
【００４５】
ステップ１０６では、車両蓄電池があるか否か判定される。該判定もステップ１０２と同様に、電力制御部１８に車両蓄電池（車両５６）が接続されているか否かを検出することによって行われ、該判定が肯定された場合にはステップ１０８へ移行し、否定された場合にはステップ１１０へ移行する。
【００４６】
ステップ１０８では、車両蓄電池の蓄電量が検出されてステップ１１０へ移行する。車両蓄電池の蓄電量の検出も、ステップ１０４と同様に、電力制御部１８によって検出された蓄電量の検出結果をＣＰＵ３０が取得することによって行われる。
【００４７】
ステップ１１０では、各種発電装置５４があるか否か判定される。該判定は、電力制御部１８に各種発電装置５４が接続されているか否かを検出することによって行われる。具体的には、電力制御部１８が各種発電装置５４の接続を検出する機能を有して、電力制御部１８が各種発電装置５４の接続を検出してその結果をＣＰＵ３０が取得することによって判定される。該判定が肯定された場合にはステップ１１２へ移行し、否定された場合にはステップ１１４へ移行する。
【００４８】
ステップ１１２では、各種発電装置５４の発電量が検出されてステップ１１４へ移行する。各種発電装置５４の発電量の検出は、電力制御部１８によって検出された発電量の検出結果をＣＰＵ３０が取得することによって行われる。
【００４９】
ステップ１１４では、余剰電力が算出されてステップ１１６へ移行する。余剰電力の算出は、上記各ステップで検出した、消費電力、蓄電量、及び発電量に基づいて算出する。すなわち、発電力及び蓄電量の合計値から消費電力量を差し引いた値を求める。このとき、算出した値が正の場合に余剰電力があるが負の場合には余剰電力がなく電力不足の状態である。
【００５０】
ステップ１１６では、余剰電力があるか否か判定され、該判定が否定された場合にはステップ１１８へ移行し、肯定された場合にはステップ１２２へ移行する。
【００５１】
ステップ１１８では、電力不足か否か判定される。該判定は、例えば、各住戸１２において蓄電池５２の電力量等を考慮して電力量以上の不足が生じているか否かを判定し、該判定が肯定された場合にはステップ１２０へ移行し、否定された場合には一連の処理を終了する。なお、当該ステップ１１８の判定は省略してステップ１２０へ移行するようにしてもよい。
【００５２】
ステップ１２０では、電力供給要求が共用蓄電池制御装置１６へ送信される。これによって共用蓄電池制御装置１６では、当該住戸１２の共用蓄電池１４への蓄電量に応じて電力の分配を行う。
【００５３】
一方、ステップ１２２では、余剰電力を共用蓄電池１４へ充電するように制御されてステップ１２４へ移行する。すなわち、各種発電装置５４によって発電されて余剰となった電力が各住戸１２の電力制御部１８及び共用蓄電池に接続された電力制御部１８を介して共用蓄電池１４に充電される。
【００５４】
ステップ１２４では、充電情報が共用蓄電池制御装置１６へ送信されて一連の処理を終了する。
【００５５】
続いて、共用蓄電池制御装置１６で行われる処理の一例について説明する。図５は、本発明の実施の形態に係わる蓄電池シェアシステム１０における共用蓄電池制御装置１６で行われる処理の一例を示すフローチャートである。なお、図５の処理についても、例えば、予め定めた時間間隔で行う。
【００５６】
ステップ２００では、各住戸１２の充電情報を受信したか否か判定され、該判定が肯定された場合にはステップ２０２へ移行し、否定された場合にはステップ２０４へ移行する。
【００５７】
ステップ２０２では、充電情報が記憶されてステップ２０４へ移行する。すなわち、各住戸１２から共用蓄電池１４への充電量を表す情報が共用蓄電池制御装置１６のメモリ４４等に記憶される。
【００５８】
ステップ２０４では、電力供給要求があるか否か判定される。該判定は、各住戸１２のＨＥＭＳ２６から上述のステップ１２０によって電力供給要求が行われたか否かを判定し、該判定が肯定された場合にはステップ２０６へ移行し、否定された場合にはステップ２００に戻って上述の処理が繰り返される。
【００５９】
ステップ２０６では、停電が発生したか否か判定される。該判定は、例えば、上述したように、共用蓄電池制御装置１６が系統電力２０を監視して停電の発生を検出したり、電力会社からの情報をネットワーク２８等を介して取得して停電の発生を検出することにより判定する。該判定が肯定された場合にはステップ２０８へ移行し、否定された場合にはステップ２１４へ移行する。
【００６０】
ステップ２０８では、充電履歴が読み出されてステップ２１０へ移行する。すなわち、上述のステップ２０２で記憶された各住戸１２から共用蓄電池１４への蓄電量を表す情報が充電履歴としてメモリ４４等から読み出される。これによって、共用蓄電池１４への各住戸１２からの充電量を把握することができる。
【００６１】
ステップ２１０では、住戸１２毎の蓄電量が検出されてステップ２１２へ移行する。すなわち、充電履歴から各住戸１２が共用蓄電池１４に蓄電した蓄電量が検出される。
【００６２】
ステップ２１２では、共用蓄電池１４の蓄電量の５０％を未蓄電住戸（共用蓄電池１４への蓄電量が所定値以下、或いは全く蓄電していない住戸１２）へ供給（売電）し、残りの蓄電量の５０％を蓄電住戸（共用蓄電池１４へ所定値を超える蓄電を行った住戸１２）へ各住戸１２が行った蓄電量に応じて分配するように電力制御部１８が制御されて一連の処理を終了する。これによって、停電の場合には、共用蓄電池１４に蓄電された電力の半分が売電され、残りの半分が蓄電を行った住戸１２に対して蓄電量に応じて分配される。従って、不公平感を生じることなく共用蓄電池１４に蓄電された電力を分配することができる。
【００６３】
一方、ステップ２１４では、災害が発生したか否か判定される。該判定も、例えば、上述したように、共用蓄電池制御装置１６が、系統電力２０を監視して予め定めた時間以上の停電を災害として検出したり、電力会社や他の公共機関等からの災害情報をネットワーク２８を介して取得して災害の発生を検出することにより判定する。該判定が肯定された場合にはステップ２１６へ移行し、否定された場合にはステップ２１８へ移行する。
【００６４】
ステップ２１６では、共用蓄電池１４の電力を全て各住戸へ供給（売電）するように電力制御部１８が制御されて一連の処理を終了する。すなわち、災害の場合には、災害モードへ移行して共用蓄電池１４に蓄電された電力が各住戸１２に対して全て売電される。
【００６５】
一方、ステップ２１８では、充電履歴が読み出されてステップ２２０移行する。すなわち、上述のステップ２０２で記憶された各住戸１２から共用蓄電池１４への蓄電量を表す情報が充電履歴としてメモリ４４等から読み出される。これによって、共用蓄電池１４への各住戸１２からの充電量を把握することができる。
【００６６】
ステップ２２０では、電力供給要求が未蓄電住戸の場合には売電され、蓄電住戸の場合には共用蓄電池１４への蓄電量に応じて、共用蓄電池１４に蓄電された電力が分配されように電力制御部１８が制御されて一連の処理を終了する。
【００６７】
このように、本実施の形態では、系統電力２０の供給状態に基づいて、共用蓄電池１４に蓄電された電力の各住戸１２への分配量が決定されて分配されるので、電力の供給状態に従って適切に電力を分配することができる。
【００６８】
また、通常モードや停電モードでは、各住戸１２の共用蓄電池１４への蓄電量に応じて電力を分配するので、不公平感なく適切に電力を分配することができる。
【００６９】
なお、上記の実施の形態では、停電モードの場合に、共用蓄電池１４の蓄電量の半分を未蓄電住戸へ供給して売電し、残りの半分を蓄電住戸へ分配するようにしたが、売電と分配する割合は、これに限るものではない。すなわち、共用蓄電池１４の蓄電量の予め定めた割合を未蓄電住戸へ供給して売電し、残りの割合を蓄電住戸へ分配するようにしてもよい。また、予め定めた割合は、共用蓄電池制御装置１６の操作部４２によって設定可能としてもよい。
【符号の説明】
【００７０】
１０    蓄電池シェアシステム
１２    住戸
１４    共用蓄電池
１６    共用蓄電池制御装置
１８    電力制御部
２０    系統電力
２２    太陽光発電装置
５４    各種発電装置
【図１】
2014027779.tif 000003
【図２】
2014027779.tif 000004
【図３】
2014027779.tif 000005
【図４】
2014027779.tif 000006
【図５】
2014027779.tif 000007